(57)【要約】本発明はチャック及びボタンなどの結束要素によって開閉され、前記結束要素を中心に左右両側に手を入れることができるポケットがそれぞれ形成されている一般のジャケットにおいて、前記分離された両側のポケットを長い一つのポケットのように連結して使うことができ、両側のポケットからジャケット後面まで連結される貫通路を形成して、前記両側のポケットまたは貫通路に発熱体を収納することができるようにして、手だけではなく体の保温效果を高めるための両側ポケットが締結及び分離可能な保温ポケットを有するジャケットに関する。
2013513036.tif 000002
【特許請求の範囲】
【請求項１】
チャック及びボタンなどの結束要素によって開閉され、前記結束要素を中心に左右両側に手を入れることができるポケット（１１０）がそれぞれ形成されているジャケット（１００）において、前記ポケット（１１０）の一側端部を開封し、前記ポケット（１１０）の開封された端部と隣接した部分のジャケット（１００）の内側に開閉部（１０１）を備え、前記開閉部（１０１）の一側に複数の締結手段（１１１）をそれぞれ備え、前記開閉部（１０１）を開封した後両側の締結手段（１１１）によって両側のポケット（１１０）が連結されることを特徴とする両側ポケットが締結及び分離可能な保温ポケットを有するジャケット。
【請求項２】
前記ポケット（１１０）の内面一側に開放部（１１２）を形成し、両側にそれぞれ形成されているポケット（１１０）の前記開放部（１１２）から後面内部まで連結される貫通路（１１３）を備え、結果的に両側のポケット（１１０）が互いに貫通されていることを特徴とする請求項１に記載の両側ポケットが締結及び分離可能な保温ポケットを有するジャケット。
【請求項３】
前記ポケット（１１０）の端部に連結原緞部材（１１４）が締結され、前記連結原緞部材（１１４）の一側に締結部（１１５）を備え、開閉部（１０１）を開封した後両側の連結原緞部材（１１４）がそれぞれの締結部（１１５）によって互いに締結することを特徴とする請求項１または２に記載の両側ポケットが締結及び分離可能な保温ポケットを有するジャケット。
【請求項４】
前記ポケット（１１０）の内側または、貫通路（１１３）に発熱体（１２１）を収納することができる発熱体収納ポケット（１２０）が複数備えられることを特徴とする請求項１または２に記載の両側ポケットが締結及び分離可能な保温ポケットを有するジャケット。
【請求項５】
前記発熱体収納ポケット（１２０）の上面に保温カバーポケット（１２２）を備えることを特徴とする請求項４に記載の両側ポケットが締結及び分離可能な保温ポケットを有するジャケット。
【請求項６】
前記発熱体収納ポケット（１２０）に発熱体（１２１）を収納するために、前記発熱体収納ポケット（１２０）と隣接したジャケット（１００）の一側に投入口（１０２）を形成することを特徴とする請求項４に記載の両側ポケットが締結及び分離可能な保温ポケットを有するジャケット。
【請求項７】
前記発熱体収納ポケット（１２０）が体に密着されることができるように密着手段部（１３０）が備えられ、前記密着手段部（１３０）を容易に操作するようにジャケット（１００）の一側に操作開閉部（１０３）が形成されていることを特徴とする請求項４に記載の両側ポケットが締結及び分離可能な保温ポケットを有するジャケット。
【請求項８】
前記密着手段部（１３０）は、ジャケット（１００）の一側に切開部（１３１）を備えて両側に分割し、前記切開部（１３１）の一側に接着部材（１３２）を備えて、分割された両側を使用者の体形に合わせて調節して接着することができることを特徴とする請求項８に記載の両側ポケットが締結及び分離可能な保温ポケットを有するジャケット。
【請求項９】
前記密着手段部（１３０）は、ジャケット（１００）の全部若しくは一部を伸縮性素材を利用して発熱体収納ポケット（１２０）が体に密着されることができるようにすることを特徴とする請求項７に記載の両側ポケットが締結及び分離可能な保温ポケットを有するジャケット。
【請求項１０】
前記密着手段部（１３０）は、一側に締結具（１３４）が備えられている長さ調節バンド（１３３）の他側がジャケット（１００）の一側にそれぞれ締結されており、前記長さ調節バンド（１３３）が貫通するリング（１３５）をジャケット（１００）の一側にそれぞれ備えて、前記長さ調節バンド（１３３）がリング（１３５）を貫通して回って出た後、締結具（１３４）を利用してそれぞれの長さ調節バンド（１３３）を結合して、ジャケット（１００）を締めながら発熱体収納ポケット（１２０）が体に密着されることができるようにすることを特徴とする請求項７に記載の両側ポケットが締結及び分離可能な保温ポケットを有するジャケット。
【請求項１１】
前記密着手段部（１３０）は、両端部がジャケット（１００）の一側にそれぞれ締結されている長さ調節バンド（１３３）の一端部に締結具（１３４）をそれぞれ備え、前記長さ調節バンド（１３３）が貫通するリング（１３５）をジャケット（１００）の一側にそれぞれ備え、前記長さ調節バンド（１３３）がジャケット（１００）後面を囲むように構成された後それぞれの締結具（１３４）を利用して長さ調節バンド（１３３）を前に引きながら結合するようにして、ジャケット（１００）を締めながら発熱体収納ポケット（１２０）が体に密着されることができるようにすることを特徴とする請求項７に記載の両側ポケットが締結及び分離可能な保温ポケットを有するジャケット。
【請求項１２】
前記長さ調節バンド（１３３）はジャケット（１００）の一側に着脱可能に設けられることを特徴とする請求項１０に記載の両側ポケットが締結及び分離可能な保温ポケットを有するジャケット。
【請求項１３】
前記長さ調節バンド（１３３）はジャケット（１００）の一側に着脱可能に設けられることを特徴とする請求項１１に記載の両側ポケットが締結及び分離可能な保温ポケットを有するジャケット。
【発明の詳細な説明】
【技術分野】
【０００１】
本発明はチャック及びボタンなどの結束要素によって開閉され、前記結束要素を中心に左右両側に手を入れることができるポケットがそれぞれ形成されている一般のジャケットにおいて、分離された両側のポケットを長い一つのポケットのように連結して使うことができ、両側のポケットからジャケット後面まで連結される貫通路を形成して、前記両側のポケットまたは貫通路に発熱体を収納するようにして、手だけではなく体の保温效果を高めるための両側ポケットが締結及び分離可能な保温ポケットを有するジャケットに関する。
【背景技術】
【０００２】
一般的に、現代人は寒い日でも活動するのに便利で且つ美的審美感を極大化するために薄着をする。薄着の保温の強度を高めるために様々な機能性生地がたくさん発売されている。
【０００３】
前記のような衣類は薄いだけでなく、保温機能も要求され、特殊な衣類において、特別に保温が要求される場合には毛皮、グースダウン、パッディングウエアなど多様な形態の試みがなされている。
【０００４】
しかし、前記のような衣類は、いくら機能性生地であっても生地が薄いと保温機能をするの限界があり、厚い生地の場合も酷寒の場合には保温を保持するのに限界があることが事実である。
【０００５】
一方、一般的に、寒い冬に着るジャケットの場合、前面中央がチャック及びボタンなどの結束要素によって開閉され、前記結束要素を中心に左右両側に手を入れることができるポケットをそれぞれ形成して、使用者の便宜によって前面中央を開閉して着用し、寒い日には手を保温するためにポケットを利用することが一般的である。
【０００６】
しかし、前記のようなジャケットでは保温效果を極大化することができないとともに、手を保温するのに限界があり、ゴルフ、インラインスケート、山登り、釣りなどのように野外で活動する特性上、一般のジャケットでは保温效果を保持することが困難であるのが事実であり、特に、ゴルフのようなスポーツの場合、ゴルフクラブのグリップが重要であることから厚い手袋をはめることができない。冬期にもゴルフはスイング動作に邪魔にならないように薄くて体に密着される防風防寒服などを着る。このようなジャケットにも服を簡潔にさせるために、ティーのような小さい用具を入れるための小さいポケットのみが形成されて手を入れることが容易でない。また、気温の低い外部環境で薄いゴルフ手袋のみに頼る場合、指の感覚が鈍くなって競技ができないという問題がある。
【発明の概要】
【発明が解決しようとする課題】
【０００７】
本発明は前記問題点を解決するために案出されたもので、前面両側に形成されているポケットを締結可能にさせ、ポケットに発熱体を収納することができるようにして、生地が薄いながらも手の保温效果を極大化することができる両側ポケットが締結及び分離可能な保温ポケットを有するジャケットを提供することにその目的がある。
【０００８】
また、本発明は両側のポケットからジャケットの後面まで連結される貫通路を形成して、結果的に両側のポケットが貫通されるように形成し、前記貫通路に発熱体を収納することができるようにして、手の保温效果を極大化するとともに、体に対する保温機能を高めることができる両側ポケットが締結及び分離可能な保温ポケットを有するジャケットを提供することにその目的がある。
【課題を解決するための手段】
【０００９】
前記目的を達するための本発明は、チャック及びボタンなどの結束要素によって開閉され、前記結束要素を中心に左右両側に手を入れることができるポケットがそれぞれ形成されているジャケットにおいて、前記ポケットの一側端部を開封し、前記ポケットの開封された端部と隣接した部分のジャケット内側に開閉部を備え、前記開閉部の一側に複数の締結手段をそれぞれ備え、前記開閉部を開封した後、両側の締結手段によって両側のポケットが連結されることを特徴とする。
【００１０】
ここで、前記ポケットの内面一側に開放部を形成し、両側にそれぞれ形成されているポケットの前記開放部から後面内部まで連結される貫通路を備え、結果的に両側のポケットが互いに貫通されていることを特徴とする。
【００１１】
前記ポケットの端部に連結原緞部材が締結され、前記連結原緞部材の一側に締結部を備え、開閉部を開封した後両側の連結原緞部材がそれぞれの締結部によって互いに締結することを特徴とする。
【００１２】
前記ポケットの内側または貫通路に発熱体を収納することができる発熱体収納ポケットが複数備えられることを特徴とする。
【００１３】
前記発熱体収納ポケットの上面に保温カバーポケットを備えることを特徴とする。
【００１４】
前記発熱体収納ポケットに発熱体を収納するため、前記発熱体収納ポケットと隣接したジャケットの一側に投入口を形成することを特徴とする。
【００１５】
前記発熱体収納ポケットが体に密着されることができるように密着手段部が備えられ、前記密着手段部を操作しやすくするようにジャケットの一側に操作開閉部が形成されていることを特徴とする。
【００１６】
前記密着手段部は、ジャケットの一側に切開部を備えて両側に分割し、前記切開部の一側に接着部材を備え、分割された両側を使用者の体形に合わせて調節して接着することができる。
【００１７】
また、前記密着手段部は、ジャケットの全部或いは一部を伸縮性素材を利用して発熱体収納ポケットが体に密着されることができる。
【００１８】
また、前記密着手段部は、一側に締結具が備えられている長さ調節バンドの他側がジャケットの一側にそれぞれ締結されており、前記長さ調節バンドが貫通するリングをジャケットの一側にそれぞれ備え、前記長さ調節バンドがリングを貫通して回って出た後、締結具を利用してそれぞれの長さ調節バンドを結合して、ジャケットを締めながら発熱体収納ポケットが体に密着されることができる。
【００１９】
また、前記密着手段部は、両端部がジャケットの一側にそれぞれ締結されている長さ調節バンドの一端部に締結具をそれぞれ備え、前記長さ調節バンドが貫通するリングをジャケットの一側にそれぞれ備え、前記長さ調節バンドがジャケット後面を囲むように構成された後それぞれの締結具を利用して長さ調節バンドを前に引きながら結合するようにして、ジャケットを締めながら発熱体収納ポケットが体に密着されることができる。
【００２０】
前記長さ調節バンドはジャケットの一側に着脱可能に設けられることができる。
【発明の効果】
【００２１】
本発明によれば、薄い生地でジャケットを形成して活動性が便利であるとともに、美的審美感を向上させることができ、手や体の保温效果を極大化することができて、薄着の要求と保温機能が要求される現消費者の欲求を満たすことができ、保温效果を極大化するための方法が比較的簡便な效果を期待することができる。
【図面の簡単な説明】
【００２２】
【図１】前面中央に開閉手段が備えられており、両側にポケットが備えられている一般のジャケットの図面である。
【図２】本発明においてジャケットの内側に開閉部が備えられている状態を示す図面である。
【図３】本発明において開閉部を開封し、開閉部の内側に締結手段が備えられている状態を示す図面である。
【図４】本発明において連結原緞部材が備えられる状態を示す図面である。
【図５】本発明において連結原緞部材が締結されている状態を示す図面である。
【図６】本発明においてポケット部を切開して内側に発熱体収納ポケットが備えられている状態を示す図面である。
【図７】本発明においてジャケットの後面一部を切開して内側に発熱体収納ポケットが備えられている状態を示す図面である。
【図８】本発明においてポケット部を切開して内側発熱体収納ポケットに保温カバーポケットが形成されている状態を示す図面である。
【図９】図８のＡ−Ａ線に沿う断面図である。
【図１０】本発明においてジャケットの内側に発熱体を投入することができるように投入口が備えられている状態を示す図面である。
【図１１】本発明においてジャケットの外側に発熱体を投入することができるように投入口が備えられている状態を示す図面である。
【図１２】本発明においてジャケットの一側に操作開閉部が形成されている状態を示す図面である。
【図１３】本発明においてジャケットの一側に切開部が形成されている状態を示す平面断面図である。
【図１４】本発明において密着手段部の実施例による長さ調節バンドが備えられている状態を示す平面断面図である。
【図１５】本発明において密着手段部の実施例による長さ調節バンドのまた他の実施形態を示す平面断面図である。。
【発明を実施するための形態】
【００２３】
以下、本発明の実施例について詳しく説明するが、本発明はその要旨を逸脱しない限り以下の実施例に限定されない。
【００２４】
前述した效果を達するための本発明は、チャック及びボタンなどの結束要素によって開閉され、前記結束要素を中心に左右両側に手を入れることができるポケットが１１０それぞれ形成されているジャケット１００において、前記ポケット１１０の一側端部を開封し、前記ポケット１１０の開封された端部と隣接した部分のジャケット１００の内側に開閉部１０１を備え、前記開閉部１０１の一側に複数の締結手段１１１をそれぞれ備え、前記開閉部１０１を開封した後両側の締結手段１１１によって両側のポケット１１０が連結し、前記ポケット１１０の内面一側に開放部１１２を形成し、両側にそれぞれ形成されているポケット１１０の前記開放部１１２から後面内部まで連結される貫通路１１３を備えて、結果的に両側のポケット１１０が互いに貫通されていることを特徴とする。
【００２５】
以下、本発明の構成を添付した図面を参照して詳しく説明する。
図１は、チャック及びボタンなどの結束要素によって開閉され、前記結束要素を中心に左右両側に手を入れることができるポケット１１０がそれぞれ形成されている一般的なジャケット１００を示すもので、図１の一般のジャケット１００に本発明の機能が追加したのである。この時、本発明においてポケット１１０の内側端部が開封されているものを含む。
【００２６】
図２は、本発明において開閉部１０１を示したもので、図に示すように、ジャケット１００の内側に開閉部１０１が備えられ、この時、前記開閉部１０１はポケット１１０の内側端部と隣接した部分に具備されて、両側のポケット１１０が容易に連結されるように構成した。
【００２７】
一方、前記のように構成された開閉部１０１は、チャック、ベルクロテープ、ボタン等多様な形態で製作することができる。
【００２８】
図３は、本発明において両側ポケット１１０を締結するための手段として締結手段１１１が備えられていることを示した図面で、図に示すように、開閉部１０１の内側に締結手段１１１を備えて、開閉部１０１を開放した後両側の締結手段１１１を締結して両側のポケット１１０が連結されるように構成した。
【００２９】
前記のように、両側のポケット１１０を連結して結果的に長い通路形態のポケット１１０を備えることができて、それぞれ分離されたポケット１１０より手の保温效果を極大化することができる。
【００３０】
図４は、連結原緞部材１１４が備えられていることを示した図面で、図に示すように、ポケット１１０の端部に連結原緞部材１１４を備えて、両側のポケット１１０をより效率的に締結することができるとともに、両側ポケット１１０を連結するとき、ポケット１１０の間の隙間が発生しなくて保温效果を極大化することができる。
【００３１】
この時、両側の連結原緞部材１１４を互いに締結するために、図に示すように、連結原緞部材１１４の一側に締結部１１５が備えられ、前記締結部１１５はベルクロテープ，ボタン、チャック、リングなど多様な形態に製作することができる。
【００３２】
図５は、連結原緞部材１１４が締結されていることを示した図面で、図に示すように、両側の連結原緞部材１１４が締結されて結果的に両側のポケット１１０が連結されて一つのボケット１１０形態を成す。
【００３３】
この時、前記のように構成された連結原緞部材１１４によって両側のポケット１１０の締結する過程は、まず、ジャケット１００の開閉部１０１を開封した後締結手段１１１で両側のポケット１１０を締結し、両側の連結原緞部材１１４を締結してなる。
【００３４】
図６は、ポケット１１０の内側を表現するために一部切開した図面で、図に示すように、ポケット１１０の内側に発熱体１２１を収納することができる発熱体収納ポケット１２０が備えられており、ポケット１１０の内面一側に開放部１１２が備えられている。
【００３５】
ここで、前記ポケット１１０の開放部１１２は、図９によれば、両側のポケット１１０に開放部１１２を備え、ジャケット１００の後面と連結される貫通路１１３を備える。結果的に前記貫通路１１３を通じて両側のポケット１１０が貫通されている。
【００３６】
前記のように構成された貫通路１１３によってポケット１１０に発熱体１２１を収納しても貫通路１１３で熱気が循環することができて体全体に保温效果を期待することができる。
【００３７】
図７は、ジャケット１００の後面内側、即ち貫通路１１３を表現するために一部切開した図面で、図に示すように、貫通路１１３に発熱体１２１を収納することができる発熱体収納ポケット１２０が備えられている。
【００３８】
図８は、ポケット１１０に備えられる発熱体収納ポケット１２０の上面に保温カバーポケット１２２が備えられていることを示した図面で、前記保温カバーポケット１２２によって発熱体収納ポケット１２０の熱気を效果的に保存することができ、ポケット１１０に手を入れる時、発熱体収納ポケット１２０と保温カバーポケット１２２との間に入れて保温效果を極大化することができる。
【００３９】
この時、前記保温カバーポケット１２２は熱の放出を遮断することができる材質で製作することが好ましい。
【００４０】
図９は、図８のＡ−Ａ線に沿う断面図で、図に示すように、両側のポケット１１０の内面一側に開放部１１２を形成して、ジャケット１００の後面まで連結される貫通路１１３が備えられ、前記ポケット１１０の内側に発熱体１２１を収納することができる発熱体収納ポケット１２０が備えられ、前記発熱体収納ポケット１２０の上面に保温カバーポケット１２２が備えられ、両側のポケット１１０を連結するための締結手段１１１が形成され、また両側のポケット１１０を締結するために一側に締結部１１５が備えられている連結原緞部材１１４がポケット１１０の一側端部に形成されており、前記貫通路１１３の一側に発熱体収納ポケット１２０が形成されている。
【００４１】
前記のように、両側のポケット１１０が連結され、ポケット１１０の開放部１１２を通じてジャケット１００の後面まで貫通路１１３で連結されて両側のポケット１１０が貫通されている。
【００４２】
図１０及び図１１は、ジャケット１００の内面または外面一側に投入口１０２が形成されていることを示した図面で、前記投入口１０２を備えて、発熱体１２１を発熱体収納ポケット１２０に容易に収納するようにする。
【００４３】
図１２は、ジャケット１００の一側面に操作開閉部１０３が備えられていることを示した図面で、前記操作開閉部１０３は後述する密着手段部１３０を容易に操作するように構成された。
【００４４】
一方、前記密着手段部１３０はジャケット１００が体に密着されることができるようにして、ジャケット１００を着る時、美的審美感を極大化するとともに、発熱体収納ポケット１２０が体に密着されることができるようにして保温效果を向上させることができるようにするもので、ここで、密着手段部１３０の多様な実施例を添付した図面を通じて説明すれば次の通りである。
【００４５】
まず、図示しない実施例で、ジャケット１００の全部若しくは一部を伸縮性素材を利用して発熱体収納ポケット１２０が体に密着されることができるようにする。
【００４６】
図１３は、密着手段部１３０の実施例においてジャケット１００の一側に切開部１３１が形成されていることを示した図面で、添付した図に示すように、ジャケット１００の一側に切開部１３１を形成して両側に分割し、前記切開部１３１の一側に接着部材１３２を備えて、使用者が自分の体に合うように両側に分割された切開部１３１を接着部材１３２を利用して締結する。
【００４７】
この時、前記切開部１３１は、添付した図面ではジャケット１００の内側に形成したが、ジャケット１００の外側に形成してもよい。
【００４８】
図１４及び図１５は、密着手段部１３０の実施例において長さ調節バンド１３３を利用することを示し図面で、添付した図に示すように、長さ調節バンド１３３の一側に締結具１３４が備えられており、前記長さ調節バンド１３３が貫通するリング１３５がジャケット１００の一側に形成されていることを特徴とする。
【００４９】
まず、図１４によって説明すれば、一側に締結具１３４が備えられている長さ調節バンド１３３の他側がジャケット１００の一側にそれぞれ締結されており、前記長さ調節バンド１３３が貫通するリング１３５をジャケット１００の一側にそれぞれ備え、前記長さ調節バンド１３３がリング１３５を貫通して回って出た後、締結具１３４を利用してそれぞれの長さ調節バンド１３３を結合して、ジャケット１００を締めながら発熱体収納ポケット１２０が体に密着されることができるようにすることを特徴とする。
【００５０】
また、図１５によって説明すれば、両端部がジャケット１００の一側にそれぞれ締結されている長さ調節バンド１３３の一端部に締結具１３４をそれぞれ備え、前記長さ調節バンド１３３が貫通するリング１３５をジャケット１００の一側にそれぞれ備えて、前記長さ調節バンド１３３がジャケット１００の後面を囲むように構成された後それぞれの締結具１３４を利用して長さ調節バンド１３３を前に引きながら結合するようにすることを特徴とする。
【００５１】
前記のように構成された密着手段部１３０によって簡単に主に用いる前面と後部分緊張に引っ張りながら皺が横側に皺寄る效果的な絞り效果があり、後の部分でさらに一回強く押したり支える効果を得ることができる。
【００５２】
一方、前記した密着手段部１３０の長さ調節バンド１３３はジャケット１００に着脱可能に構成して、使用者の便宜に合わせて使うことができるようにする。
【図１】
2013513036.tif 000003
【図２】
2013513036.tif 000004
【図３】
2013513036.tif 000005
【図４】
2013513036.tif 000006
【図５】
2013513036.tif 000007
【図６】
2013513036.tif 000008
【図７】
2013513036.tif 000009
【図８】
2013513036.tif 000010
【図９】
2013513036.tif 000011
【図１０】
2013513036.tif 000012
【図１１】
2013513036.tif 000013
【図１２】
2013513036.tif 000014
【図１３】
2013513036.tif 000015
【図１４】
2013513036.tif 000016
【図１５】
2013513036.tif 000017
【国際調査報告】
2013513036.tif 000018
2013513036.tif 000019
2013513036.tif 000020
2013513036.tif 000021